(57)【要約】【課題】鉛筆削り器の内部での芯折れを抑制する。【解決手段】先端が筒状となるように鉛筆３０の木３１だけを削る第１の鉛筆削り手段１０と、前記筒状の部分を削って芯３２を出す第２の鉛筆削り手段２０と、を備えるようにした。このような構成によれば、まずは硬い木３１のみを削り、その後に、柔らかい芯３２を削るという２段階で鉛筆３０を削ることができる。よって、硬い木３１を削るときに力を入れ過ぎても、芯３２が露出していないので芯３２が折れにくい。また、柔らかい芯３２を削るときには、力を入れる必要がないので、芯折れが生じにくい。【選択図】図１
2018126966.tif 000002
【特許請求の範囲】
【請求項１】
鉛筆を挿入する挿入口と、
前記挿入口の奥に形成されて削り刃が配置されたテーパ部と、
前記テーパ部の奥に連続して設けられて鉛筆の先端をガイドするガイド部と、
を備えることを特徴とする、鉛筆削り器。
【請求項２】
前記テーパ部の最小径は３．５ｍｍ以上であることを特徴とする、請求項１記載の鉛筆削り器。
【請求項３】
先端が筒状となるように鉛筆の木だけを削る第１の鉛筆削り手段と、
前記筒状の部分を削って芯を出す第２の鉛筆削り手段と、
を備えることを特徴とする、鉛筆削り器。
【請求項４】
２種類の鉛筆削り手段を使用して鉛筆を削る方法であって、
第１の鉛筆削り手段によって、先端が筒状となるように鉛筆の木だけを削るステップと、
第２の鉛筆削り手段によって、前記筒状の部分を削って芯を出すステップと、
を備えることを特徴とする、鉛筆を削る方法。
【請求項５】
芯が露出するように削られた鉛筆であって、
木だけが筒状に削られた部分と、
前記筒状に削られた部分の先端が先細りに削られて芯が露出した部分と、
を備えることを特徴とする、鉛筆。
【発明の詳細な説明】
【技術分野】
【０００１】
この発明は、芯が折れにくい鉛筆削り器と、この鉛筆削り器によって鉛筆を削る方法、及び、この鉛筆削り器によって削られた鉛筆に関する。
【背景技術】
【０００２】
従来、鉛筆を削るために鉛筆削り器が使用されている（例えば特許文献１参照）。こうした鉛筆削り器は、鉛筆の先端を挿入可能な円錐状の孔を備え、この孔の内部に削り刃が設けられている。鉛筆を削るときには、鉛筆削り器の孔に鉛筆の先端を挿入し、鉛筆を回転させることで、削り刃によって木と芯とが削られる。
【先行技術文献】
【特許文献】
【０００３】
【特許文献１】特開２０１６−３４７０６号公報
【発明の概要】
【発明が解決しようとする課題】
【０００４】
しかし、上記した従来の鉛筆削り器は、鉛筆を回転させるときに力を入れないと木が削れないため、比較的大きな力で鉛筆を回転させる必要があった。このとき、力を入れ過ぎて鉛筆が傾くと、鉛筆の先端に負荷がかかり、鉛筆削り器の内部で芯が折れてしまうという問題があった。特に、削り刃の切れが悪くなっている場合や、色鉛筆などの芯が折れやすい鉛筆を削る場合には、鉛筆削り器の内部で芯折れが生じやすかった。
そこで、本発明は、鉛筆削り器の内部での芯折れを抑制することを課題とする。
【課題を解決するための手段】
【０００５】
本発明は、上記した課題を解決するためになされたものであり、以下を特徴とする。
請求項１記載の発明は、鉛筆を挿入する挿入口と、前記挿入口の奥に形成されて削り刃が配置されたテーパ部と、前記テーパ部の奥に連続して設けられて鉛筆の先端をガイドするガイド部と、を備えることを特徴とする。
【０００６】
請求項２に記載の発明は、上記した請求項１に記載の発明の特徴点に加え、前記テーパ部の最小径は３．５ｍｍ以上であることを特徴とする。
【０００７】
請求項３に記載の発明は、先端が筒状となるように鉛筆の木だけを削る第１の鉛筆削り手段と、前記筒状の部分を削って芯を出す第２の鉛筆削り手段と、を備えることを特徴とする。
【０００８】
請求項４に記載の発明は、２種類の鉛筆削り手段を使用して鉛筆を削る方法であって、第１の鉛筆削り手段によって、先端が筒状となるように鉛筆の木だけを削るステップと、第２の鉛筆削り手段によって、前記筒状の部分を削って芯を出すステップと、を備えることを特徴とする。
【０００９】
請求項５に記載の発明は、芯が露出するように削られた鉛筆であって、木だけが筒状に削られた部分と、前記筒状に削られた部分の先端が先細りに削られて芯が露出した部分と、を備えることを特徴とする。
【発明の効果】
【００１０】
請求項１に記載の発明は上記の通りであり、鉛筆を挿入する挿入口と、挿入口の奥に形成されて削り刃が配置されたテーパ部と、テーパ部の奥に連続して設けられて鉛筆の先端をガイドするガイド部と、を備える。このような構成によれば、削り刃によって鉛筆の木のみを筒状に削ることができる。そして、鉛筆の木のみを筒状に削った後に、筒状の部分を削って芯を出すことができる。すなわち、まずは硬い木のみを削り、その後に、柔らかい芯を削るという２段階で鉛筆を削ることができる。このように２段階で鉛筆を削るようにすれば、硬い木を削るときに力を入れ過ぎて鉛筆が傾いたとしても、鉛筆の先端に芯が露出していないので芯が折れてしまうことを防止できる。また、柔らかい芯を削るときには、力を入れる必要がなく、鉛筆の先端に大きな負荷がかかることもないので、芯折れが生じにくい。
【００１１】
また、請求項２に記載の発明は上記の通りであり、テーパ部の最小径は３．５ｍｍ以上である。このような構成によれば、テーパ部の最小径が一般的な鉛筆の芯の太さ（２〜３ｍｍ）よりも大径であるので、芯を削らずに木のみを筒状に削ることができる。よって、芯の太さが一般的である鉛筆を削った場合には、最初に硬い木のみを削り、その後に、柔らかい芯を削るという２段階で鉛筆を削ることができる。また、芯の太い鉛筆を削った場合には、その芯の太さを生かして筒状に芯を露出させることができる。
【００１２】
また、請求項３に記載の発明は上記の通りであり、先端が筒状となるように鉛筆の木だけを削る第１の鉛筆削り手段と、筒状の部分を削って芯を出す第２の鉛筆削り手段と、を備える。このような構成によれば、まずは硬い木のみを削り、その後に、柔らかい芯を削るという２段階で鉛筆を削ることができる。このように２段階で鉛筆を削るようにすれば、硬い木を削るときに力を入れ過ぎて鉛筆が傾いたとしても、鉛筆の先端に芯が露出していないので芯が折れてしまうことを防止できる。また、柔らかい芯を削るときには、力を入れる必要がなく、鉛筆の先端に大きな負荷がかかることもないので、芯折れが生じにくい。
【００１３】
また、請求項４に記載の発明は上記の通りであり、２種類の鉛筆削り手段を使用して鉛筆を削る方法であって、第１の鉛筆削り手段によって、先端が筒状となるように鉛筆の木だけを削るステップと、第２の鉛筆削り手段によって、筒状の部分を削って芯を出すステップと、を備える。このように２段階で鉛筆を削るようにすれば、硬い木を削るときに力を入れ過ぎて鉛筆が傾いたとしても、鉛筆の先端に芯が露出していないので芯が折れてしまうことを防止できる。また、柔らかい芯を削るときには、力を入れる必要がなく、鉛筆の先端に大きな負荷がかかることもないので、芯折れが生じにくい。
【００１４】
また、請求項５に記載の発明は上記の通りであり、芯が露出するように削られた鉛筆であって、木だけが筒状に削られた部分と、筒状に削られた部分の先端が先細りに削られて芯が露出した部分と、を備える。このような構成によれば、芯がすり減って鉛筆を削るときに、先端の筒状の部分のみを削ればよいので力を入れる必要がなく、鉛筆の先端に大きな負荷がかかることもないので、芯折れを生じにくくすることができる。
【図面の簡単な説明】
【００１５】
【図１】鉛筆削り器の外観図である。
【図２】第１の鉛筆削り手段を説明する図であって、（ａ）鉛筆挿入前の第１の鉛筆削り手段の内部を示す図、（ｂ）鉛筆を削った後の第１の鉛筆削り手段の内部を示す図、（ｃ）第１の鉛筆削り手段で削られた鉛筆の先端を示す図である。
【図３】第２の鉛筆削り手段を説明する図であって、（ａ）鉛筆挿入前の第２の鉛筆削り手段の内部を示す図、（ｂ）鉛筆を削った後の第２の鉛筆削り手段の内部を示す図、（ｃ）第２の鉛筆削り手段で削られた鉛筆の先端を示す図である。
【図４】鉛筆削り器で削った鉛筆の先端を示す図であって、（ａ）先端を太く削った図、（ｂ）芯の太い鉛筆を第１の鉛筆削り手段で削った図、（ｂ）芯の太い鉛筆を第１の鉛筆削り手段と第２の鉛筆削り手段とで削った図である。
【発明を実施するための形態】
【００１６】
本発明の実施形態について、図を参照しながら説明する。
本実施形態に係る鉛筆削り器Ａは、鉛筆３０の先端を挿入して回転させることにより、鉛筆３０を削って先を尖らせるためのものであり、図１に示すように、第１の鉛筆削り手段１０と第２の鉛筆削り手段２０との２種類の鉛筆削り手段を備えている。本実施形態においては、まず第１の鉛筆削り手段１０で鉛筆３０を削り、その後、第２の鉛筆削り手段２０で鉛筆３０を削ることにより、２段階で鉛筆３０を削るように構成されている。
【００１７】
第１の鉛筆削り手段１０は、鉛筆３０の先端を筒状に削るためのものである。この第１の鉛筆削り手段１０は、図２（ａ）に示すように、鉛筆３０を挿入する第１挿入口１１と、第１挿入口１１の奥に形成されて第１削り刃１２が配置された第１テーパ部１３と、第１テーパ部１３の奥に連続するように半円筒状に形成されたガイド部１４と、を備える。
第１挿入口１１は、鉛筆３０を挿入可能な直径で開口形成された円形の穴である。
【００１８】
第１テーパ部１３は、内面によって略円錐台形状が形成された空洞であり、手前側が第１挿入口１１に連続し、奥側がガイド部１４と連続している。この第１テーパ部１３は、手前から奥に行くに従って次第に縮径するように形成されており、最奥部の直径（最小径）がガイド部１４と等しくなるように形成されている。本実施形態においては、この第１テーパ部１３の最小径Ｄは３．５ｍｍ以上に設定されており、具体的には、約４．５ｍｍに設定されている。この第１テーパ部１３の最小径Ｄは、一般的な鉛筆３０の芯３２の太さ（２〜３ｍｍ）よりも大きな値となっている。
【００１９】
第１削り刃１２は、鉛筆３０の側面をテーパ状に削るためのものであり、第１テーパ部１３の母線に沿って設けられている。第１削り刃１２の刃先は、第１テーパ部１３の内面よりも少しだけ内側に突出しており、これにより、第１テーパ部１３のテーパ面に沿って鉛筆３０を回転させたときに、第１削り刃１２によって鉛筆３０の表面が削られるようになっている。
【００２０】
ガイド部１４は、第１テーパ部１３を通過した鉛筆３０の先端をガイドするための部位である。このガイド部１４には削り刃は設けられておらず、このガイド部１４に進入した鉛筆３０の先端はそれ以上削られない。
【００２１】
このような第１の鉛筆削り手段１０を使用して鉛筆３０を削ると、図２（ｂ）に示すように、鉛筆３０が第１テーパ部１３に設けられた第１削り刃１２によって削られながら第１挿入口１１の奥へと進み、第１テーパ部１３の最小径Ｄまで鉛筆３０の先端が削られたら、その先端はガイド部１４へと進入していく。
【００２２】
適当なところで鉛筆削りを中断すると、図２（ｃ）に示すように、鉛筆３０の軸部３３が第１テーパ部１３によって削られることで、テーパ状の傾斜部３４が形成され、傾斜部３４の先端には木３１だけが筒状に削られた筒状部３５が形成される。
【００２３】
なお、本実施形態においてはガイド部１４を半円筒状に形成しているが、ガイド部１４は鉛筆３０の筒状部３５をガイドできる形状でありさえすればよい。よって、ガイド部１４は厳密に半円筒状である必要はない。また、ガイド部１４を円筒状に形成してもよい。
【００２４】
また、第２の鉛筆削り手段２０は、第１の鉛筆削り手段１０で削った鉛筆３０を更に削るためのものであり、第１の鉛筆削り手段１０によって形成された筒状部３５を削って芯３２を出すためのものである。この第２の鉛筆削り手段２０は、図３（ａ）に示すように、鉛筆３０を挿入する第２挿入口２１と、第２挿入口２１の奥に形成されて第２削り刃２２が配置された第２テーパ部２３と、を備える。
第２挿入口２１は、鉛筆３０を挿入可能な直径で開口形成された円形の穴である。
【００２５】
第２テーパ部２３は、内面によって略円錐形状が形成された空洞である。この第２テーパ部２３は、手前から奥に行くに従って次第に縮径するように形成されている。この第２テーパ部２３の奥は行き止まりとなっており、これよりも先に鉛筆３０が進入できないようになっている。
【００２６】
第２削り刃２２は、鉛筆３０の側面をテーパ状に削るためのものであり、第２テーパ部２３の母線に沿って設けられている。第２削り刃２２の刃先は、第２テーパ部２３の内面よりも少しだけ内側に突出しており、これにより、第２テーパ部２３のテーパ面に沿って鉛筆３０を回転させたときに、第２削り刃２２によって鉛筆３０の表面が削られるようになっている。
【００２７】
第１の鉛筆削り手段１０で削った鉛筆３０を、この第２の鉛筆削り手段２０を使用して削ると、図３（ｂ）に示すように、鉛筆３０の筒状部３５が第２削り刃２２によって削られる。このように筒状部３５の先端が先細りに削られることで、鉛筆３０の芯３２が露出する。
【００２８】
適当なところで鉛筆削りを中断すると、図３（ｃ）に示すように、鉛筆３０の筒状部３５が第２テーパ部２３によって削られることで、先のとがった先端部３６が形成される。詳しくは、鉛筆３０の先端には、軸部３３、傾斜部３４、筒状部３５、先端部３６が順に形成され、これにより鉛筆３０の先端が段付きの先細り形状となっている。
【００２９】
なお、第２の鉛筆削り手段２０を使用して鉛筆３０を削るときには、先端部３６が尖るまで削る必要はなく、図４（ａ）に示すように、あえて先端まで削らずに芯３２を太く出すようにしてもよい。
【００３０】
また、一度削ってある鉛筆３０の芯３２がすり減って再び鉛筆３０を削るときには、必ずしも第１の鉛筆削り手段１０を使用しなくてもよい。例えば、鉛筆３０の先端に筒状部３５が残っていれば、第２の鉛筆削り手段２０で先端の筒状部３５を削ることで芯３２を尖らせることができる。
【００３１】
なお、上記した実施例では、芯３２の太さが第１テーパ部１３の最小径Ｄよりも小径である鉛筆３０を削る場合について説明したが、これに限らず、芯３２の太さが第１テーパ部１３の最小径Ｄよりも大径である鉛筆３０を削ることも可能である。芯３２が太い鉛筆３０を削る場合には、図４（ｂ）に示すように、第１の鉛筆削り手段１０だけで鉛筆３０を削り、太く芯３２を出すようにしてもよい。また、図４（ｃ）に示すように、円筒状に露出した芯３２の先端を第２の鉛筆削り手段２０で削ってもよい。
【００３２】
以上説明したように、本実施形態によれば、鉛筆３０を挿入する第１挿入口１１と、第１挿入口１１の奥に形成されて第１削り刃１２が配置された第１テーパ部１３と、第１テーパ部１３の奥に連続するように円筒状または半円筒状に形成されたガイド部１４と、を備える。このような構成によれば、第１削り刃１２によって鉛筆３０の木３１のみを筒状に削ることができる。そして、鉛筆３０の木３１のみを筒状に削った後に、筒状部３５を削って芯３２を出すことができる。すなわち、まずは硬い木３１のみを削り、その後に、柔らかい芯３２を削るという２段階で鉛筆３０を削ることができる。このように２段階で鉛筆３０を削るようにすれば、硬い木３１を削るときに力を入れ過ぎて鉛筆３０が傾いたとしても、鉛筆３０の先端に芯３２が露出していないので芯３２が折れてしまうことを防止できる。また、柔らかい芯３２を削るときには、力を入れる必要がなく、鉛筆３０の先端に大きな負荷がかかることもないので、芯折れが生じにくい。
【００３３】
また、２段階で削ることにより、鉛筆３０の芯３２の形状を容易に整えることができる。すなわち、従来の鉛筆削り器Ａでは木３１と芯３２とを一緒に削るため、細かな調整が困難であったが、本実施形態に係る鉛筆削り器Ａによれば、第２の鉛筆削り手段２０で芯３２の形状のみを整えることができるので、芯３２の尖り具合を容易に調整することができる。そして、芯３２の削り量を細かく調整できるため、芯３２の削り過ぎを防止でき、鉛筆３０を長持ちさせることができる。
【００３４】
また、第１テーパ部１３の最小径Ｄを３．５ｍｍ以上とすれば、第１テーパ部１３の最小径Ｄが一般的な鉛筆３０の芯３２の太さよりも大きくなるので、第１削り刃１２で芯３２を削らずに木３１のみを削ることができる。よって、芯３２の太さが一般的である鉛筆３０を削った場合には、最初に硬い木３１のみを削り、その後に、柔らかい芯３２を削るという２段階で鉛筆３０を削ることができる。また、芯３２の太い鉛筆３０を削った場合には、その太さを生かして円筒状に芯３２を露出させることができる。
【００３５】
なお、上記した実施形態においては、一つの鉛筆削り器Ａが第１の鉛筆削り手段１０と第２の鉛筆削り手段２０との両方を備えている例について説明したが、これに限らない。例えば、第１の鉛筆削り手段１０と第２の鉛筆削り手段２０とを別々に提供してもよい。また、第２の鉛筆削り手段２０は従来の鉛筆削り器Ａでも代用可能であるため、第１の鉛筆削り手段１０のみを提供するようにしてもよい。
【符号の説明】
【００３６】
Ａ  鉛筆削り器
１０  第１の鉛筆削り手段
１１  第１挿入口
１２  第１削り刃
１３  第１テーパ部
１４  ガイド部
２０  第２の鉛筆削り手段
２１  第２挿入口
２２  第２削り刃
２３  第２テーパ部
３０  鉛筆
３１  木
３２  芯
３３  軸部
３４  傾斜部
３５  筒状部
３６  先端部
Ｄ  第１テーパ部の最小径
【図１】
2018126966.tif 000003
【図２】
2018126966.tif 000004
【図３】
2018126966.tif 000005
【図４】
2018126966.tif 000006